(57)【要約】  本発明はシリンジ（１００）用のプランジャ（１４）であり、シリンジのチャンバ（１２）内で往復運動するための頭部（２６）を有することによりチャンバ（１２）内に含まれた一服分の液体を送り届ける。頭部（２６）は、気体が頭部を通過できる一方で液体は通過できないようにするために、液体不透過性かつ気体透過性のシール（４０）をさらに有する。
2019521830.tif 000002
【特許請求の範囲】
【請求項１】
シリンジのチャンバ内で往復運動するための頭部を有し、前記頭部が液体不透過性かつ気体透過性であるシールをさらに有するシリンジ用プランジャ。
【請求項２】
前記シールが膜を含む請求項１に記載のプランジャ。
【請求項３】
前記膜が半透膜である請求項２に記載のプランジャ。
【請求項４】
前記プランジャおよび／または前記シールのうち、前記シールと前記チャンバの端との間の前記チャンバの空間に接触および／または露出している面全体を前記膜が実質的に形成または規定する請求項２または３に記載のプランジャ。
【請求項５】
前記プランジャおよび／または前記シールのうち、前記チャンバ内に含まれる液体および／または気体に接触している面全体を前記膜が実質的に形成または規定する請求項４に記載のプランジャ。
【請求項６】
前記プランジャ、前記頭部および／または前記シールのうち、前記空間に、ならびに／または前記チャンバ内に含まれる液体および／もしくは気体に、接触および／または露出する部分が前記膜により規定されている請求項２から５のいずれか一項に記載のプランジャ。
【請求項７】
前記頭部が、前記シールを通過する気体を収容するために、前記シールと流体連通しているガス溜めを有する請求項１から６のいずれか一項に記載のプランジャ。
【請求項８】
前記ガス溜めが、前記シールの前記チャンバとは反対の側および／または前記膜とは反対の側に位置している請求項７に記載のプランジャ。
【請求項９】
前記頭部または／および前記シールが、前記膜を通過する気体を受け取り、収容し、および／または貯蔵するように構成されている請求項１から８のいずれか一項に記載のプランジャ。
【請求項１０】
前記頭部および／または前記シールのうち、少なくとも前記膜に接触している部分が多孔性材料から形成されている請求項９に記載のプランジャ。
【請求項１１】
前記頭部および／または前記シールのうち、少なくとも前記膜に接触している部分が発泡ゴムおよび／または発泡プラスチックから形成されている請求項１０に記載のプランジャ。
【請求項１２】
投与液を受け取るためのチャンバと、前記チャンバとともに往復運動するためピストンとを備え、前記ピストンは請求項１から１１のいずれか一項に記載のプランジャを備える、シリンジ。
【発明の詳細な説明】
【技術分野】
【０００１】
本発明の実施形態はシリンジ用プランジャおよびシリンジに関する。
【背景技術】
【０００２】
図１は先行技術において既知のシリンジ１０を表す。 シリンジ１０は、円筒１２の形のチャンバとプランジャ１４とを備え、プランジャ１４は円筒１２内で往復運動するように配置されている。 針１６は、アプリケータ１８によって円筒１２に取り付けられている。プランジャ１４は頭部２６を有する。プランジャ１４の頭部２６にはシール２０が張り付けられるなどして設けられている。
【０００３】
使用の際、液体中に溶解または浮遊している投与薬剤に針１６が挿入される。 次いでプランジャが後方（矢印２２の方向）へ引っ張られ、その結果シール２０が後方へ引っ張られてシールと液体との間が減圧状態になる。 これにより、円筒１２に液体が吸い込まれる。
【０００４】
投与の際、針１６が静脈または皮下に挿入され、プランジャ１４が押下される（矢印２４の方向に前方へ押される）ことにより、シール２０を押し下げて、針１６から患者へ液体を放出する。
【０００５】
参照番号３０で示されているように、シール２０と、針１６の先端などのシリンジ１０の末端との間に空間が存在する。 通常、シリンジ１０は充填されると針が上方を向くように逆さにされ、液体が円筒１２内に引き込まれる。 投与前に空間３０は空気で満たされており、針が投与のために逆さにされると、この空気が針の先端に隣接するようになる。 したがって、これを避けようと何らかの行為がなされない限り、液体より先にこの目的がまず射出される。
【０００６】
そのため、シリンジをパージする行為は周知であり、この空気が放出されるまでプランジャ１４が押下される。
【０００７】
しかし、ユーザは液体が針の先端から放出されるのを見るまでは、すべての空気が放出されたかどうかわからない。 よって、ユーザの技能と器用さ次第で、液体の放出が少なくも多くもなり得る。 しかし、いずれの場合にも、薬剤を含む液体の一部は放出されてしまう。
【０００８】
その上、インスリンペンなどの再使用可能な針は、パージすることまたは完全に除去することが非常に難しい気泡を蓄積し続ける。
【０００９】
その結果、薬剤が大幅に無駄になる。 これはコストの無駄につながるだけでなく、これに伴って投薬量について曖昧さが生じる。
【００１０】
シリンジから不要な空気をパージする必要性を無くすかできるだけ少なくすることおよび／または投与液を含む空間からの空気の除去についての改善手段を提供することが望ましい。
【００１１】
国際公開第２００４／０３９４３９号パンフレットは、シリンジから気体材料を排出するためのシリンジアセンブリを開示している。 独国特許出願公開第１０  ２００４  ０５５  ８７０号明細書はガス抜き装置を備えたシリンジ装置を開示している。 しかし両文献には、投与液を含むシリンジの空間からの気体排出が最適以下であるという欠点がある。
【発明の概要】
【００１２】
第一の態様によると本発明は、シリンジのチャンバ内で往復運動するための頭部を有し、その頭部が液体不透過性かつ気体透過性であるシールを有するシリンジ用プランジャを提供する。
【００１３】
使用中、チャンバとともにプランジャが往復運動すること、例えばチャンバ内にプランジャが押下されることにより、シリンジはチャンバ内に含まれた一服分、例えばある量の液体を送り届けることができる。
【００１４】
液体不透過性かつ気体透過性であるシールを設けることにより、空気などあらゆる気体が頭部を通過できる一方で、液体は通過できないようにしている。
【００１５】
シールは半透膜などの膜を含んでもよい。 半透膜は通常、空気などの気体を透過させるが水溶液または分散液／乳濁液といった水性媒体などの液体は透過させない。
【００１６】
通常、膜は高分子材料などの合成材料から形成されてもよい。 膜はポリエチレン、ポリプロピレンなどから形成されてもよい。膜は不織のポリプロピレン材料から形成されてもよい。 例えば、膜はＰｒｏｃｔｏｒ  Ｇｒｏｕｐ  Ｌｔｄ  （英国）によってＲｏｏｆｓｈｉｅｌｄという商品名で販売されている材料から形成されてもよい。 例えばシリンジの寸法、シリンジの意図された用途、投与液、および／または膜の化学的、物理的特性次第で他の種類の半透膜を使用してもよいと考えられる。
【００１７】
有利なことに、膜は、頭部および／またはシールの端部またはその付近に位置し得る。 膜は、頭部および／またはシールのうち、針先に最も近い部分またはその付近に位置してもよい。 プランジャおよび／またはシールのうち、空間に、例えばそこに含まれる液体および／または気体に、接触および／または露出している面全体を膜が実質的に形成または規定するように、プランジャ、頭部および／またはシールが構成されてもよい。 プランジャ、頭部および／またはシールのうち、空間に接触および／または露出している部分は、膜によって、例えば膜の表面によって規定されていてもよく、例えばそれのみによって規定されていてもよい。
【００１８】
シリンジの使用の際、シリンジが充填されてから逆さにされると、空気などあらゆる気体がシールに、例えばシールの膜に隣接する可能性がある。 ユーザがプランジャを押下すると、その行為によりシール、例えば膜が空間内にある空気などの気体を圧迫する。 この力により、気体がシールの膜を通り抜ける。このようにして、投与前にシリンジをパージする必要なく気体の一部または全部が除去され得るため、これに伴う薬剤の一切の無駄の排除および／または時間の節約につながる。 さらに、空間に接触および／または露出しているプランジャ、頭部および／またはシールの全面を膜が規定する場合、プランジャのうち、シールを介した排気を妨げる可能性がある部分は他にないため、本配置の気体除去性能を最適化することができる。
【００１９】
一実施形態において、シールおよび／または膜を通過したすべての気体はシリンジから排出されてもよい。
【００２０】
一実施形態において、シールおよび／または膜を通過したすべての気体はシリンジおよび／またはプランジャによって規定された空隙に封じ込められ得る。
【００２１】
一実施形態において、シリンジ、例えばプランジャは、その頭部付近に位置し、例えばシールの膜とは反対の側でシールに隣接するガス溜めを備えてもよい。 これは、シールおよび／または膜を通過したすべての気体を貯蔵する手段となり得る。
【００２２】
一実施形態において、頭部および／またはシールの一部は、シールとチャンバ内の液体との間の空間に位置して膜を通過する気体の受け取り、収容および／または貯蔵を行うように構成されてもよい。 頭部および／またはシール、例えばシールのうち膜に接触している部分は、多孔性材料から形成されてもよい。 頭部および／またはシール、例えばシールのうち膜に接触している部分は、膜を通過する気体の受け取り、収容および／または貯蔵を行うことが可能な発泡材料から形成されてもよい。 このような備えにより、有利なことに、空間内に含まれるすべての気体の効果的なパージおよび貯蔵をシリンジが実現し得る。 頭部および／またはシール、例えばシールのうち膜に接触している部分は、発泡プラスチックおよび／または発泡ゴムから形成されてもよい。
【００２３】
膜は、プランジャの支持体、例えばその頭部に取り付けられてもよい。 一実施形態において、膜は支持体に恒久的に取り付けられてもよく、例えば、支持体に接着または溶接されるなどしてよい。 有利なことに、膜は支持体に超音波溶接され得る。このような備えにより、膜の効果を損なうことなく、または接着剤を使用する必要なく、膜が支持体に効果的に接着され得る。
【００２４】
支持体はプランジャの端部、例えば頭部によるものであってもよい。 このような場合、シールは膜によって規定されもよい。支持体はプランジャの端部、例えばシールによるものであってもよい。 このような場合、シールは膜をさらに含み、膜の支持体／該支持体としての機能を果たしてもよい。
【００２５】
本発明の別の実施形態は、投与液を受け取るためのチャンバとチャンバとともに往復運動するためのピストンとを備えるシリンジに適用され、チャンバ内に含まれる液体が、本明細書に記載のプランジャであるピストンの動きによって放出される。
【００２６】
膜は、液体と一緒にチャンバ内に貯蔵される気体を収容するため、チャンバのサイズに合わせた寸法としてもよい。
【図面の簡単な説明】
【００２７】
本発明の実施形態を添付の概略図を参照しながら説明する。
【図１】当該技術分野において既知のシリンジを表す。
【図２】本発明の実施形態にかかるシリンジを表す。
【図３】本発明の実施形態にかかるシリンジを表す。
【発明を実施するための形態】
【００２８】
本発明の実施形態を添付図を参照しながら以下詳細に説明する。
【００２９】
図２は第一の実施形態にかかるシリンジ１００を表す。 本発明の当該実施形態において、シール２０の替わりに、少なくとも一部が気体透過性かつ液体不透過性であるシール４０が設けられる。 一実施形態においてシール４０は、気体透過性かつ液体不透過性である半透膜４１によるものである。
【００３０】
通常、膜４１は合成材料、例えば高分子材料から形成される。 膜４１はポリエチレン、ポリプロピレンなどから形成されてもよい。膜４１は不織のポリプロピレン材料から形成されてもよい。 本実施形態において、膜はＰｒｏｃｔｏｒ  Ｇｒｏｕｐ  Ｌｔｄ  （英国）によってＲｏｏｆｓｈｉｅｌｄという商品名で販売されている材料であってもよい。
【００３１】
有利なことに、膜４１は、シールの端部またはその付近に位置し得る。 膜は、シール４０のうち、針先に最も近い部分／面に位置する。プランジャ１４および／またはシール４０は、プランジャのうち、空間３０、例えばそこに含まれる液体および／または気体に接触している面全体を膜４１が形成または規定するように構成されている。
【００３２】
シリンジ１００の使用の際、シリンジが充填されてから逆さにされると、空気がシール４０に隣接する。 ユーザがプランジャ１４を押下すると、その行為によりシール４０が空間３０内にある空気を圧迫する。 この力により、気体がシール４０の膜４１を通過するのに必要な力が生じる。 このようにして、シリンジをパージするする必要なく、気体の全部が除去され得るため、これに伴う薬剤の一切の無駄の排除につながる。
【００３３】
図３は本発明の別の実施形態を表す。 本実施形態においてシリンジ１０２は、シール４４の空間３０および膜４５とは反対の側で該シールに隣接するように位置するガス溜め４２を有する。
【００３４】
図２の実施形態におけるシール４０は、シール４０とチャンバ１２内の液体との間に位置する空気を収容するための寸法をしている。 プランジャ４０、例えばそのシールは、例えば硬質発泡ゴムで形成されてもよく、膜４５を通過してその空隙に入る空気を受け入れる。
【００３５】
図３の実施形態は、余分な空気がすべてシール４４を通過してガス溜め４２に封じ込められる点で図２の実施形態と異なる。 シール４４は、気体透過性かつ液体不透過性の膜４５などの材料も含む。
【００３６】
図２に表されるシール４０および／または図３に表されるシール４４の寸法は、通常の薬剤投与における標準的な空気量を収容するため、ピストン１４およびチャンバ１２の直径および長さに合わせて選択されてもよいと考えられる。
【図１】
2019521830.tif 000003
【図２】
2019521830.tif 000004
【図３】
2019521830.tif 000005
【手続補正書】
【提出日】平成30年5月15日(2018.5.15)
【手続補正１】
【補正対象書類名】特許請求の範囲
【補正対象項目名】全文
【補正方法】変更
【補正の内容】
【特許請求の範囲】
【請求項１】
シリンジのチャンバ内で往復運動するための頭部を有し、前記頭部が液体不透過性かつ気体透過性であるシールをさらに有し、前記シールが半透膜を有し、
前記プランジャおよび／または前記シールのうち、前記シールと前記チャンバの端との間の前記チャンバの空間に接触および／または露出している面全体を前記膜が実質的に形成または規定するシリンジ用プランジャ。
【請求項２】
前記プランジャおよび／または前記シールのうち、前記チャンバ内に含まれる液体および／または気体に接触している面全体を前記膜が実質的に形成または規定する請求項１に記載のプランジャ。
【請求項３】
前記プランジャ、前記頭部および／または前記シールのうち、前記空間に、ならびに／または前記チャンバ内に含まれる液体および／もしくは気体に、接触および／または露出する部分が前記膜により規定されている請求項１または２のいずれか一項に記載のプランジャ。
【請求項４】
前記頭部が、前記シールを通過する気体を収容するために、前記シールと流体連通しているガス溜めを有する請求項１から３のいずれか一項に記載のプランジャ。
【請求項５】
前記ガス溜めが、前記シールの前記チャンバとは反対の側および／または前記膜とは反対の側に位置している請求項４に記載のプランジャ。
【請求項６】
前記頭部または／および前記シールが、前記膜を通過する気体を受け取り、収容し、および／または貯蔵するように構成されている請求項１から５のいずれか一項に記載のプランジャ。
【請求項７】
前記頭部および／または前記シールのうち、少なくとも前記膜に接触している部分が多孔性材料から形成されている請求項６に記載のプランジャ。
【請求項８】
前記頭部および／または前記シールのうち、少なくとも前記膜に接触している部分が発泡ゴムおよび／または発泡プラスチックから形成されている請求項７に記載のプランジャ。
【請求項９】
投与液を受け取るためのチャンバと、前記チャンバとともに往復運動するための請求項１から８のいずれか一項に記載のプランジャであるピストンとを備えるシリンジ。
【国際調査報告】
2019521830.tif 000006
2019521830.tif 000007
2019521830.tif 000008